(57)【特許請求の範囲】
【請求項１】
画像情報を圧縮して記録及び再生処理する画像処理装置であって、
前記画像情報を第１の圧縮方式で圧縮して第１の圧縮画像情報を生成し、第１の記録媒体に記録すると共に前記第１の記録媒体より前記第１の圧縮画像情報を再生して伸張する第１の記録再生手段と、
前記第１の記録再生手段により前記第１の記録媒体より再生され伸張処理された画像情報を第２の圧縮方式で圧縮して第２の圧縮画像情報を生成し、第２の記録媒体に記録すると共に前記第２の記録媒体より前記第２の圧縮画像情報を再生して伸張する第２の記録再生手段と、
前記第１の記録再生手段及び第２の記録再生手段により再生された画像情報を表示すると共に、前記第１の記録再生手段で再生が行われた画像情報の後処理に関する指示を促すための情報を表示する表示手段とを備えたことを特徴とする画像処理装置。
【請求項２】
前記表示手段は、前記第１の記録再生手段による前記第１の記録媒体に対する前記第１の圧縮画像情報の記録内容、及び前記第２の記録再生手段による前記第２の記録媒体に対する前記第２の圧縮画像情報の記録内容に基づいて、前記後処理に関する指示を促すための情報を表示することを特徴とする請求項１記載の画像処理装置。
【請求項３】
前記表示手段は、前記第１の記録再生手段により前記第１の圧縮画像情報の再生が行われた後に、前記第１の圧縮画像情報を削除するか、前記第１の圧縮画像情報を前記第２の記録媒体へと移動するか、あるいはそのままの状態にしておくか、の少なくとも何れかを問い合わせるメッセージを表示することを特徴とする請求項１記載の画像処理装置。
【請求項４】
第１の記録媒体から画像データを再生する再生手段と、
前記再生手段により再生された画像データを第２の記録媒体に記録する記録手段と、
前記再生手段による前記画像データの再生終了に応じて、前記第２の記録媒体に対する前記画像データのコピーの可否、前記第１の記録媒体からの前記画像データの削除の可否、及び、前記コピー及び削除の何れも行わない旨を問い合わせるダイアログ情報を表示装置に表示する表示手段と、
前記表示装置に表示されたダイアログ情報に応じて、前記第２の記録媒体に対する前記画像データのコピー、あるいは、前記第１の記録媒体からの前記画像データの削除を任意に指示する指示手段と、
前記指示手段によるコピーの指示に応じて前記第１の記録媒体に記録された画像データを再生して前記第２の記録媒体に記録する機能を実行すると共に、前記指示手段による削除の指示に応じて前記第１の記録媒体から前記画像データを削除する機能を実行する制御手段とを備える画像処理装置。
【請求項５】
前記表示手段は、前記コピーを指示するためのコピーボタン画像、前記削除を指示するための削除ボタン画像及び、前記コピー及び削除の何れも行わないことを指示するための指示ボタン画像を含む前記ダイアログ情報を表示し、前記指示手段は前記コピーボタン画像、削除ボタン画像及び指示ボタン画像のいずれかを選択可能であることを特徴とする請求項４記載の画像処理装置。
【発明の詳細な説明】
【０００１】
【発明の属する技術分野】
本発明は、例えば、静止画像や動画像のデータを、フラッシュメモリや、ハードディスクドライブ、或いはリムーバブル光ディスク等の記録媒体に記録する装置或いはシステムに用いられる、画像処理装置に関するものである。
【０００２】
【従来の技術】
従来より例えば、ディジタルビデオカメラでは、主に、撮像素子の出力データ（ディジタル画像データ）をＤＶ（ＳＤ）方式で圧縮し、当該圧縮データをテープ状記録媒体に記録する方法が用いられてきた。
また、近年では、撮像素子の出力データをフレーム間相関圧縮方式であるＭＰＥＧ方式で圧縮し、当該圧縮データを、相変化光ディスクや光磁気ディスク等のリムーバブルディスクメディアに記録するように構成されたディジタルビデオカメラが、普及し始めてきている。
【０００３】
上記のリムーバブルディスクメディアによるディジタルビデオカメラは、テープ状記録媒体によるディジタルビデオカメラが有する、例えば、次のような問題点（１）〜（３）等を解決しており、ユーザにとって使いやすいものとなっている。
【０００４】
テープ状記録媒体によるディジタルビデオカメラの問題点：
（１）早送り／巻き戻しの手間により任意のポイントが探しにくい。
（２）テープがからんでしまうこと等により信頼性が低い。
（３）大事なカットを上書き記録してしまう危険がある。
【０００５】
【発明が解決しようとする課題】
しかしながら、上述したようなリムーバブルディスクによるディジタルビデオカメラ等の従来の撮像装置は、当該装置がリムーバブルディスクを認識するまでにかかる時間が長いため、電源投入時やディスク交換時において、撮影チャンスを逃してしまうことがあった。
【０００６】
また、圧縮コーデックのＭＰＥＧ方式では、動き検出によるデータ削減を行っているが、このための処理は負担の重い処理であることにより、撮像装置による撮影において、リアルタイム性が最重要視される用途では十分な動き検出ができず、動きの激しい被写体を撮影すると、圧縮効率が落ちて画質が劣化してしまう場合があった。
【０００７】
さらに、ＭＰＥＧ方式はフレーム間相関の圧縮であることにより、撮影及び記録後に編集を行う場合、目的のカットポイントを処理するために、その前後の相関フレームを含めて、かなりの範囲を伸長する必要があったので、大がかりなシステムや処理が必要となってしまう。
【０００８】
上記の問題点を解決するために、撮影画像を直接ＭＰＥＧ方式で圧縮してリムーバブルディスクに記録するのではなく、両者の間に、内蔵ハードディスク等をキャッシュ的に用いたシステムを設けるように構成されたビデオカメラが提案されているが、このような構成では、上記内蔵ハードディスクの管理という新たな負荷をユーザに求めることになっていた。
【０００９】
そこで、本発明は、上記の欠点を除去するために成されたもので、ハードディスクを含めた装置或いはシステムの扱いを容易にし、画像素材収集から当該画像保存までの処理等を容易な操作で実現できる、画像処理装置を提供することを目的とする。
【００１０】
【課題を解決するための手段】
斯かる目的下において、本発明は、画像情報を圧縮して記録及び再生処理する画像処理装置であって、前記画像情報を第１の圧縮方式で圧縮して第１の圧縮画像情報を生成し、第１の記録媒体に記録すると共に前記第１の記録媒体より前記第１の圧縮画像情報を再生して伸張する第１の記録再生手段と、前記第１の記録再生手段により前記第１の記録媒体より再生され伸張処理された画像情報を第２の圧縮方式で圧縮して第２の圧縮画像情報を生成し、第２の記録媒体に記録すると共に前記第２の記録媒体より前記第２の圧縮画像情報を再生して伸張する第２の記録再生手段と、前記第１の記録再生手段及び第２の記録再生手段により再生された画像情報を表示すると共に、前記第１の記録再生手段で再生が行われた画像情報の後処理に関する指示を促すための情報を表示する表示手段とを備えたことを特徴とする。
【００１８】
【発明の実施の形態】
以下、本発明の実施の形態について図面を用いて説明する。
【００１９】
[第１の実施の形態]
本発明は、例えば、図１に示すようなディジタルビデオカメラ１００に適用される。
本実施の形態のディジタルビデオカメラ１００は、被写体を撮像して当該被写体の動画像又は静止画像の画像データを生成及び出力するカメラヘッド１０１ａと、カメラヘッド１０１ａから出力される画像データをフレーム内圧縮方式で圧縮するフレーム内圧縮コーデック１０９と、フレーム内圧縮コーデック１０９で得られた圧縮画像データを記録するハードディスク１１０と、ハードディスク１１０に記録されている圧縮画像データをフレーム相関圧縮方式で再圧縮するＭＰＥＧコーディック１１１と、ＭＰＥＧコーディック１１１で得られた圧縮画像データを記録するリムーバブルディスク１１２と、ハードディスク１１０及びリムーバブルディスク１１２に記録された画像データを再生処理するメインマイコン１１９と、メインマイコン１１９で再生処理された画像データを表示する液晶ディスプレイ１１３とを備え、特に、ハードディスク１１０に記録された画像データを再生処理する場合、当該再生処理の終了時に、液晶ディスプレイ１１３に対して、当該再生テイクを削除するか、或いはリムーバブルディスク１１２へ画像データ移動するか、或いはそのままの状態にしておくか等を問い合わせるためのメッセージを表示するように構成されている。
以下、本実施の形態のディジタルビデオカメラ１００の構成及び動作について具体的に説明する。
【００２０】
＜ディジタルビデオカメラ１００の構成＞
上記図１において、まず、１０１は、被写体光を取り込む撮影レンズである。
１０２は、後述する撮像素子１０３への光量を制御する絞りである。
１０３は、絞り１０２で取り込まれた被写体光を画像信号に変換する撮像素子である。
１０４は、撮像素子１０３から出力される画像信号をサンプルホールドして、適正な信号レベルの信号を出力にするＣＤＳ／ＡＧＣである。
【００２１】
１０５は、ＣＤＳ／ＡＧＣ１０４から出力される画像信号をアナログ／ディジタル（Ａ／Ｄ）変換し、これにより生成したディジタルの画像データをディジタル処理するディジタル処理回路である。
１０６は、ディジタル処理回路１０４で処理された画像データを1フレーム分ずつ蓄積するフレームメモリである。
１０７は、フレームメモリ１０６内のフレーム画像を構成する画素を、後述するＤＶ方式で記録処理ができるように画素数を調整する画素数調整回路である。
【００２２】
１０１aは、上記の構成部１０１〜１０７を含むカメラヘッドである。
１０８は画像バスであり、この画像バス１０８を介して、各構成部の間でデータの授受が行なわれる。
【００２３】
１０９は、画像データをフレーム内処理にて圧縮／伸長するフレーム内圧縮コーデックであり、ディジタルビデオカメラ１００に内蔵固定されたハードディスクドライブであるＪＰＥＧコーディック１０９ａ及びＤＶコーディック１０９ｂを含んでいる。
ＪＰＥＧコーディック１０９ａは、画像バス１０８を介して供給されたディジタル画像データを静止画データとしてＪＰＥＧ方式により圧縮すると共に、後述するハードディスクドライブ１１０に記録されたＪＰＥＧ方式による圧縮データ（ＪＰＥＧ圧縮データ）を伸張する。
ＤＶコーディック１０９ｂは、画像バス１０８を介して供給されたディジタル画像データを静止画データとしてＤＶ方式により圧縮すると共に、後述するハードディスクドライブ１１０に記録されたＤＶ方式による圧縮データ（ＤＶ圧縮データ）を伸張する。
【００２４】
１１１は、画像バス１０８を介して供給されたディジタル画像データを動画データとしてフレーム間相関によるＭＰＥＧ方式で圧縮すると共に、後述するリムーバブルディスク１１２に記録されたＭＰＥＧ方式による圧縮データ（ＭＰＥＧ圧縮データ）を伸長するＭＰＥＧコーデックである。
１１２は、ＭＰＥＧコーデックで得られたＭＰＥＧ圧縮データを記録する、ディジタルビデオカメラ１００本体と脱着可能なリムーバブルディスクである。
【００２５】
１１３は、画像バス１０８を介して、再生モード時にはフレーム内圧縮コーデック１０９又はＭＰＥＧコーデック１１１での伸長により得られた再生画像を表示し、撮影時にはカメラヘッド１０１ａで得られたスルー画を表示する液晶ディスプレイである。
１１２は、液晶ディスプレイ１１３を駆動する液晶ドライバである。
【００２６】
１１５は、液晶ディスプレイ１１１で表示されている画像と同一の画像をアナログ化してビデオ出力端子１１６を介して出力するＮＴＳＣエンコーダである。１１７は、ＤＶ端子１１８からの入力ディジタルデータを画像バス１０８上に送出すると共に、画像バス１０８を介して供給されたディジタル画像データをＤＶ端子１１８を介して外部出力するＩＥＥＥ１３９４インターフェースである。
【００２７】
１１９は、例えば、マイクロコンピュータ（マイコン）機能を有し、モードダイヤル１２１及び操作キー１２０の操作状態を認識し、当該操作状態に基づいて、ディジタルビデオカメラ１００全体の動作モードを制御するメインマイコンである。
【００２８】
＜ディジタルビデオカメラ１００の動作モード及びデータの流れ＞
図２は、モードダイヤル１２１で決定される動作モードにおける、画像データの流れを示したものである。
【００２９】
まず、上記図２（ａ）は、モードダイヤル１２１が「CAMERA」にセットされた場合の「カメラモード」時の画像データの流れを示したものである。
【００３０】
カメラモードでは、カメラヘッド１０１ａで得られた画像データが、画像バス１０８を経由してＤＶコーデック１０９ｂに供給される。
ＤＶコーデック１０９ｂは、画像バス１０８からの画像データをＤＶ方式により圧縮し、当該ＤＶ圧縮画像データを再び画像バス１０８を介して、ハードディスクドライブ１１０に記録する。
【００３１】
上記図２（ｂ）は、モードダイヤル１２１が「HDD PLAY」にセットされた場合の「ハードディスク再生モード」時の画像データの流れを示したものである。
【００３２】
ハードディスク再生モードでは、ハードディスクドライブ１１０に記録されているＤＶ圧縮画像データが読み出され、当該ＤＶ圧縮画像データは、画像バス１０８を経由してＤＶコーデック１０９ｂに供給される。
ＤＶコーデック１０９ｂは、画像バス１０８からのＤＶ圧縮画像データを伸長し、これにより取得した再生画像データを、再び画像バス１０８を介して液晶ドライバ１１４及びＮＴＳＣエンコーダ１１５に供給する。
液晶ドライバ１１４は、画像バス１０８からの再生画像データを、液晶ディスプレイ１１３で表示する。
ＮＴＳＣエンコーダ１１５は、画像バス１０８からの再生画像データをアナログ化してビデオ信号としてビデオ出力端子１１６から出力する。
【００３３】
上記図２（ｃ）は、モードダイヤル１２１が「COPY」にセットされた場合の「コピーモード」時の画像データの流れを示したものである。
コピーモードの状態で、ユーザが操作キー１２０に設けられたキャッシュコピー実行キー１２０ａを押下すると、次のようなコピー動作が開始される。
【００３４】
コピー動作では、ハードディスクドライブ１１０に記録されているＤＶ圧縮画像データが読み出され、当該圧縮画像データは、画像バス１０８を経由してＤＶコーデック１０９ｂに供給される。
ＤＶコーデック１０９ｂは、画像バス１０８からの圧縮画像データを伸長し、これによる再生画像データを再び画像バス１０８を介してＭＰＥＧコーデック１１１に供給する。
ＭＰＥＧコーデック１１１は、画像バス１０８からの画像データをＭＰＥＧ方式により圧縮し、当該ＭＰＥＧ圧縮画像データを再び画像バス１０８を介してリムーバブルディスク１１２に記録する。
【００３５】
上記図２（ｄ）は、モードダイヤル１２１が「RD PLAY」にセットされた場合の「リムーバブルディスク再生モード」時の画像データの流れを示したものである。
【００３６】
リムーバブルディスク再生モードでは、リムーバブルディスク１１２に記録されているＭＰＥＧ圧縮画像データが読み出され、当該圧縮画像データは、画像バス１０８を経由してＭＰＥＧコーデック１１１に供給される。
ＭＰＥＧコーデック１１１は、画像バス１０８からの圧縮画像データを伸長し、これによる再生画像データを、再び画像バス１０８を介して、液晶ドライバ１１４及びＮＴＳＣエンコーダ１１５に供給する。
液晶ドライバ１１４は、画像バス１０８からの再生画像データを、液晶ディスプレイ１１３で表示する。
ＮＴＳＣエンコーダ１１５は、画像バス１０８からの再生画像データをアナログ化してビデオ信号としてビデオ出力端子１１６から出力する。
【００３７】
＜カメラモード及びハードディスク再生モードでのディジタルビデオカメラ１００の動作＞
ここでは、ディジタルカメラ１００が、上記図２（ａ）に示したようなカメラモード、及び同図（ｂ）に示したようなハードディスク再生モードに設定された場合のディジタルカメラ１００の動作について、図３に示すフローチャートを用いて説明する。
【００３８】
ステップＳ３００：
ユーザが、モードダイヤル１２１を「CAMERA」にセットし、操作キー１２０等に設けられた電源スイッチをＯＮすると、ディジタルビデオカメラ１００は、メインマイコン１１９によりカメラモードに設定され、録画動作を開始する。
【００３９】
ステップＳ３０１〜ステップＳ３０３：
メインマイコン１１９は、ハードディスクドライブ１１０へのDV圧縮画像データの記録を開始し（ステップＳ３０１）、当該記録動作が終了すると（ステップＳ３０２）、記録されたテイクの再生回数を示すフラグ（再生回数フラグ）を初期値“０”に設定する（ステップＳ３０３）。
【００４０】
ステップＳ３０４：
ユーザが、モードダイヤル１２１を「HDD PLAY」にセットすると、ディジタルビデオカメラ１００は、メインマイコン１１９によりハードディスク再生モードに設定される。
【００４１】
ステップＳ３０５〜ステップＳ３０７：
ハードディスク再生モードでは、メインマイコン１１９は、ハードディスクドライブ１１０に記録された画像データの再生を開始し（ステップＳ３０５）、当該再生動作が終了すると（ステップＳ３０６）、再生回数フラグの値をカウントアップ（＋１）する（ステップＳ３０７）。
【００４２】
ステップＳ３０８：
メインマイコン１１９は、再生回数フラグの値が“１”であるか、或いは“２”であるかを判別し、“１”である場合にはステップＳ３０９に進み、“２”である場合にはステップＳ３１０に進む。
【００４３】
ステップＳ３０９：
ステップＳ３０８の判別の結果、再生回数フラグの値が“１”である場合、メインマイコン１１９は、液晶ドライバ１１４等を制御することで、例えば、図４に示すようなダイヤログ４１０を液晶ディスプレイ１１３で表示する。
【００４４】
ダイヤログ４１０には、上記図４に示すように、「コピー」ボタン４１１、「削除」ボタン４１２、及び「そのまま」ボタン４１３が、ユーザから選択可能なように設けられており、これらのボタン４１１〜４１３の操作（押下）による以下のような機能は、メインマイコン１１９により実施される。
【００４５】
「コピー」ボタン４１１は、ハードディスクドライブ１１０上に記憶された再生済みのテイクを、上述したコピーモード時のデータ処理と同様の処理により、リムーバブルディスク１１２に対してＭＰＥＧ圧縮画像データとして記録（コピー）すると共に、当該コピーし終えたハードディスクドライブ１１０上のテイクを削除する機能を有する。
【００４６】
「削除」ボタン４１２は、ハードディスクドライブ１１０に記憶された再生済のテイクを削除する機能を有する。
「そのまま」ボタン４１３は、ハードディスクドライブ１１０に記憶された再生済みのテイクをそのまま残しておく機能を有する。
【００４７】
ユーザが、「コピー」ボタン４１１、「削除」ボタン４１２、及び「そのまま」ボタン４１３の何れか1つを選択及び操作することで、後述するステップＳ３１１に進む。
【００４８】
ステップＳ３１０：
ステップＳ３０８の判別の結果、再生回数フラグの値が“２”である場合、メインマイコン１１９は、液晶ドライバ１１４等を制御することで、例えば、図５に示すようなダイヤログ４２０を液晶ディスプレイ１１３で表示する。
【００４９】
ダイヤログ４２０には、上記図５に示すように、上記図４に示した「コピー」ボタン４１１と同様の機能を有する「コピー」ボタン４２１、及び上記図４に示した「削除」ボタン４１２と同様の機能を有する「削除」ボタン４２２が、ユーザから選択可能なように設けられており、これらのボタン４２１及び４２２の操作（押下）による機能についても、上記図４に示したダイヤログ４１０の場合と同様に、メインマイコン１１９により実施される。
【００５０】
ユーザが、「コピー」ボタン４２１又は「削除」ボタン４２２を選択及び操作することで、次のステップＳ３１１に進む。
【００５１】
ステップＳ３１１：
メインマイコン１１９は、ダイアログ４１０又はダイアログ４２０上でのユーザ操作に基づいて、該当する機能を実施し、その後、再びステップＳ３０５からの処理を繰り返し実行する。
【００５２】
これにより例えば、ステップＳ３０９によるダイアログ４１０から、「そのまま」ボタン４１３が選択された場合のテイクは、再びステップＳ３０６で再生が可能となる。この場合、ステップＳ３０７にて、再生回数フラグが更に＋１加算され“２”となるため、ステップＳ３１０において、ダイヤログ４２０が表示される。このダイヤログ４２０では、上記図５に示したように、「そのまま」の選択肢がなく、「コピー」又は「削除」の選択項目のみとなり、テイクをハードディスクドライブ１１０に残しておくことができなくなるため、ハードディスクドライブ１１０内に未処理の画像テイクがたまっていくことを防ぐことができる。
【００５３】
尚、本実施の形態では、ＤＶ圧縮画像データの記録媒体としてハードディスクドライブ１１０を用いるようにしたが、これに限られることはなく、例えば、大容量の半導体メモリのような固体メモリ等をも適用可能である。
【００５４】
[第２の実施の形態]
本実施の形態では、上記図１に示したディジタルビデオカメラ１００において、ハードディスク再生モードでの動作を、例えば、図６に示すフローチャートに従った動作とする。
【００５５】
ステップＳ５００：
ユーザが、モードダイヤル１２１を「HDD PLAY 」にセットし、操作キー１２０等に設けられた電源スイッチをＯＮすると、ディジタルビデオカメラ１００は、メインマイコン１１９によりハードディスク再生モードに設定される。
【００５６】
ステップＳ５０１〜ステップＳ５０３：
メインマイコン１１９は、現在の時刻情報を取得し（ステップＳ５０１）、ハードディスクドライブ１１０の記録内容を確認し（ステップＳ５０２）、上記現在の時刻情報と、上記記録内容の最終アクセス時刻とを比較し、この比較結果により、1ヶ月以上の期間に一度もアクセスがなかったテイクが存在するか否かを判別する（ステップＳ５０３）。
ステップＳ５０３の判別の結果、1ヶ月以上の期間に一度もアクセスがなかったテイクが存在する場合にはステップＳ５０４に進み、1ヶ月以上の期間に一度もアクセスがなかったテイクが存在しない場合にはステップＳ５０５に進む。
【００５７】
ステップＳ５０４：
ステップＳ５０３の判別の結果、1ヶ月以上の期間に一度もアクセスがなかったテイクが存在する場合、メインマイコン１１９は、液晶ドライバ１１４等を制御することで、例えば、図７に示すようなダイヤログ６１０を液晶ディスプレイ１１３で表示する。
【００５８】
ダイヤログ６１０には、上記図７に示すように、「コピー」ボタン６１１、「削除」ボタン６１２、及び「そのまま」ボタン６１３が、ユーザから選択可能なように設けられており、これらのボタン６１１〜６１３の操作（押下）による以下のような機能は、メインマイコン１１９により実施される。
【００５９】
「コピー」ボタン６１１は、ハードディスクドライブ１１０上に記憶された再生済みのテイクを、上述したコピーモード時のデータ処理と同様の処理により、リムーバブルディスク１１２に対してＭＰＥＧ圧縮画像データとして記録（コピー）すると共に、当該コピーし終えたハードディスクドライブ１１０上のテイクを削除する機能を有する。
【００６０】
「削除」ボタン６１２は、ハードディスクドライブ１１０に記憶された再生済のテイクを削除する機能を有する。
「そのまま」ボタン６１３は、ハードディスクドライブ１１０に記憶された再生済みのテイクをそのまま残しておく機能を有する。
【００６１】
ユーザが、「コピー」ボタン６１１、「削除」ボタン６１２、及び「そのまま」ボタン６１３の何れか1つを選択及び操作することで、後述するステップＳ５１０に進む。
【００６２】
ステップＳ５０５、ステップＳ５０６：
ステップＳ５０３の判別の結果、1ヶ月以上の期間に一度もアクセスがなかったテイクが存在しない場合、メインマイコン１１９は、ハードディスクドライブ１１０の記録内容と、リムーバブルドライブ１２２の記録内容とを比較し（ステップＳ５０５）、この比較結果により、ハードディスクドライブ１１０のみに記録されているテイクが存在するか否かを判別する（ステップＳ５０６）。
ステップＳ５０６の判別の結果、ハードディスクドライブ１１０のみに記録されているテイクが存在する場合にはステップＳ５０７に進み、ハードディスクドライブ１１０のみに記録されているテイクが存在しない場合にはステップＳ５０８に進む。
【００６３】
ステップＳ５０７：
ステップＳ５０６の判別の結果、ハードディスクドライブ１１０のみに記録されているテイクが存在する場合、メインマイコン１１９は、液晶ドライバ１１４等を制御することで、例えば、図８に示すようなダイヤログ６２０を液晶ディスプレイ１１３で表示する。
【００６４】
ダイヤログ６２０には、上記図８に示すように、上記図７に示したボタン６１１〜６１３と同様の機能を有するボタン６２１〜６２３が、ユーザから選択可能なように設けられている。
ユーザが、ボタン６２１〜６２３の何れか1つを選択及び操作することで、後述するステップＳ５１０に進む。
【００６５】
ステップＳ５０８：
ステップＳ５０６の判別の結果、ハードディスクドライブ１１０のみに記録されているテイクが存在しない場合、メインマイコン１１９は、ハードディスクドライブ１１０とリムーバブルディスクドライブ１１２に同一のテイクが存在するか否かを判別する。
この判別の結果、ハードディスクドライブ１１０とリムーバブルディスクドライブ１１２に同一のテイクが存在する場合にはステップＳ５０９に進み、ハードディスクドライブ１１０のみに記録されているテイクが存在しない場合にはステップＳ５１１に進む。
【００６６】
ステップＳ５０９：
ステップＳ５０８の判別の結果、ハードディスクドライブ１１０とリムーバブルディスクドライブ１１２に同一のテイクが存在する場合、メインマイコン１１９は、液晶ドライバ１１４等を制御することで、例えば、図９に示すようなダイヤログ６３０を液晶ディスプレイ１１３で表示する。
【００６７】
ダイヤログ６３０には、上記図９に示すように、上記図７に示したボタン６１１〜６１３と同様の機能を有するボタン６３１〜６３３が、ユーザから選択可能なように設けられている。
ユーザが、ボタン６３１〜６３３の何れか1つを選択及び操作することで、後述するステップＳ５１０に進む。
【００６８】
尚、ここでの重複テイクに対する実行対象は、ハードディスクドライブ１１０のテイクである。
【００６９】
ステップＳ５１０：
ステップＳ５０４、又はステップＳ５０５、又はステップＳ５０９の処理後、メインマイコン１１９は、ダイアログ６１０、又はダイアログ６２０、又はダイアログ６３０上でのユーザ操作に基づいて、該当する機能を実施する。
【００７０】
ステップＳ５１１：
ステップＳ５０８又はステップＳ５１０の処理後、メインマイコン１１９は、ディジタルビデオカメラ１００をハードディスクドライブ再生モードとし、その操作待機状態となる。
【００７１】
尚、本実施の形態では、ＤＶ圧縮画像データの記録媒体としてハードディスクドライブ１１０を用いるようにしたが、これに限られることはなく、例えば、大容量の半導体メモリのような固体メモリ等をも適用可能である。
【００７２】
また、本発明の目的は、第１及び第２の実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が第１及び第２の実施の形態の機能を実現することとなり、そのプログラムコードを記憶した記憶媒体及び当該プログラムコードは本発明を構成することとなる。
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、本実施の形態の機能が実現されるだけでなく、そのプログラムコードの指示に基づき、コンピュータ上で稼動しているＯＳ等が実際の処理の一部又は全部を行い、その処理によって第１及び第２の実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１及び第２の実施の形態の機能が実現される場合も含まれることは言うまでもない。
【００７３】
図１０は、上記コンピュータの機能７００を示したものである。
コンピュータ機能７００は、上記図１０に示すように、ＣＰＵ７０１と、ＲＯＭ７０２と、ＲＡＭ７０３と、キーボード（ＫＢ）７０９のキーボードコントローラ（ＫＢＣ）７０５と、表示部としてのＣＲＴディスプレイ（ＣＲＴ）７１０のＣＲＴコントローラ（ＣＲＴＣ）７０６と、ハードディスク（ＨＤ）７１１及びフレキシブルディスク（ＦＤ）７１２のディスクコントローラ（ＤＫＣ）７０７と、ネットワーク７２０との接続のためのネットワークインターフェースコントローラ（ＮＩＣ）７０８とが、システムバス７０４を介して互いに通信可能に接続された構成としている。
【００７４】
ＣＰＵ７０１は、ＲＯＭ７０２或いはＨＤ７１１に記憶されたソフトウェア、或いはＦＤ７１２より供給されるソフトウェアを実行することで、システムバス７０４に接続された各構成部を総括的に制御する。
すなわち、ＣＰＵ７０１は、所定の処理シーケンスに従った処理プログラムを、ＲＯＭ７０２、或いはＨＤ７１１、或いはＦＤ７１２から読み出して実行することで、第１及び第２の実施の形態での動作を実現するための制御を行う。
【００７５】
ＲＡＭ７０３は、ＣＰＵ７０１の主メモリ或いはワークエリア等として機能する。
ＫＢＣ７０５は、ＫＢ７０９や図示していないポインティングデバイス等からの指示入力を制御する。
ＣＲＴＣ７０６は、ＣＲＴ７１０の表示を制御する。
ＤＫＣ７０７は、ブートプログラム、種々のアプリケーション、編集ファイル、ユーザファイル、ネットワーク管理プログラム、及び本実施の形態における所定の処理プログラム等を記憶するＨＤ７１１及びＦＤ７１２とのアクセスを制御する。
ＮＩＣ７０８は、ネットワーク７２０上の装置或いはシステムと双方向にデータをやりとりする。
【００７６】
【発明の効果】
以上説明したように本発明では、画像情報（撮影画像等）を第１の圧縮方式（フレーム内圧縮方式等）で圧縮した第１の圧縮画像情報を第１の記録媒体に記録し、当該第１の圧縮画像情報を第２の圧縮方式（フレーム相関圧縮方式等）で圧縮した第２の圧縮画像情報を第２の記録媒体に記録し、第１の圧縮画像情報又は第２の圧縮画像情報を再生して表示する際、当該再生終了後に、当該再生済みの画像情報の後処理に関する指示（再生画像を削除するか、又は第２の記録媒体へと移動させるか、又はそのままの状態にしておくか、をユーザに問い合わせるメッセージ等）を表示するように構成した。
【００７７】
これにより例えば、一度ハードディスクドライブ（第１の記録媒体）に記録した画像情報に対して、一定期間アクセスしないテイクや、リムーバブルディスク（第２の記録媒体）と重複しているテイク等があった場合、削除等を促すメッセージをユーザに対して提示できるため、ユーザが知らない間にハードディスクドライブが一杯になる恐れを低減することができ、さらに、画像素材の収集から、画像作品保存までのの一連の作業や管理を容易に且つ確実に行える。
また、例えば、動きの激しい被写体を撮影しても、その撮影画像の符号化の効率が落ちることなない。さらに、撮影画像に対して、より多様且つ自由度の高い編集を行え、さらにまた、記録媒体の管理を容易に行える。
【図面の簡単な説明】
【図１】第１の実施の形態において、本発明を適用したディジタルビデオカメラの構成を示すブロック図である。
【図２】上記ディジタルビデオカメラの動作モードを説明するための図である。
【図３】上記ディジタルビデオカメラの動作を説明するためのフローチャートである。
【図４】上記ディジタルビデオカメラでのダイヤログ表示（１）の一例を説明するための図である。
【図５】上記ディジタルビデオカメラでのダイヤログ表示（２）の一例を説明するための図である。
【図６】第２の実施の形態における上記ディジタルビデオカメラの動作を説明するためのフローチャートである。
【図７】第２の実施の形態における上記ディジタルビデオカメラでのダイヤログ表示（１）の一例を説明するための図である。
【図８】第２の実施の形態における上記ディジタルビデオカメラでのダイヤログ表示（２）の一例を説明するための図である。
【図９】第２の実施の形態における上記ディジタルビデオカメラでのダイヤログ表示（３）の一例を説明するための図である。
【図１０】上記ディジタルビデオカメラの機能をコンピュータに実現させるためのプログラムをコンピュータ読出可能な記憶媒体から読み出して実行する当該コンピュータの構成を示すブロック図である。
【符号の説明】
１００  ディジタルビデオカメラ
１０１  撮影レンズ
１０１ａ  カメラヘッド
１０２  絞り
１０３  撮像素子
１０４  ＣＤＳ／ＡＧＣ
１０５  ディジタル処理回路
１０６  フレームメモリ
１０７  画素数調整回路
１０８  画像バス
１０９ａ  ＪＰＥＧコーデック
１０９ｂ  ＤＶコーデック
１１０  ハードディスクドライブ
１１１  ＭＰＥＧコーデック
１１２  リムーバブルディスク
１１３  液晶ディスプレイ
１１４  液晶ドライバ
１１５  ＮＴＳＣエンコーダ
１１６  ビデオ出力
１１７  ＩＥＥＥ１３９４インターフェース
１１８  ＤＶ端子
１１９  メインマイコン
１２０  操作キー
１２０ａ  キャッシュコピー実行キー
１２１  モードダイヤル
【図１】
0003840125.tif 000002
【図２】
0003840125.tif 000003
【図３】
0003840125.tif 000004
【図４】
0003840125.tif 000005
【図５】
0003840125.tif 000006
【図６】
0003840125.tif 000007
【図７】
0003840125.tif 000008
【図８】
0003840125.tif 000009
【図９】
0003840125.tif 000010
【図１０】
0003840125.tif 000011